(57)【特許請求の範囲】
【請求項１】
吸込口を有する吸込具本体と、前記吸込具本体外周部に設けられたバンパ−と、前記バンパ−上に設けられた起毛布とを備え、前記バンパ−は前記吸込具本体底面まで湾曲し、かつ上下方向に摺動し、前記起毛布が前記吸込具本体下面より、出没自在にした電気掃除機用吸込具。
【請求項２】
請求項１に記載の電気掃除機用吸込具と、連通するように接続される電気掃除機。
【発明の詳細な説明】
【０００１】
【産業上の利用分野】
本発明は、電気掃除機用吸込具および電気掃除機に関するものである。
【０００２】
【従来の技術】
従来この種吸込具は、例えば特開平４−１５２９２３号公報に示されているように図７及び図８に示す構成を採っているものが一般的であった。吸込具１に塵埃を吸引する吸込口２と、前記吸込口２内に回転可能なアジテ−タ−３と、前記吸込口２後方にカットパイル状の紡績布からなる起毛布４と、前記起毛布４の上下移動・固定を行う上下装置５とを備え、畳・木床上の掃除時、起毛布４を吸込具１底面より突出固定し、起毛布４と被掃除面を接触させることにより、掃除作業時のソフト感を得、さらに被掃除面の傷付きを防止する構造のものがあった。
【０００３】
【発明が解決しようとする課題】
しかし、このような構造のものでは、起毛布４は吸込口２後方で上下移動するべく構成されており、前記起毛布４及び上下装置５を吸込口２後方に内蔵するため、吸込具１が大型になりかつ重くなり、操作がしにくいという問題があった。
【０００４】
本発明は上記問題に鑑み、小型で操作性の良好な電気掃除機用吸込具を提供するのを第１の目的とする。
【０００５】
第２の目的は、上記第１の目的に加え、衝突により家具等を傷つけるのを防止することにある。
【０００６】
【課題を解決するための手段】
上記第１、第２の目的を達成するための課題解決手段は、吸込口を有する吸込具本体と、前記吸込具本体外周部に設けられたバンパ−と、前記バンパ−上に設けられた起毛布とを備え、前記バンパ−は前記吸込具本体底面まで湾曲し、かつ上下方向に摺動し、前記起毛布が前記吸込具本体下面より、出没自在にしたものである。また、上記解決手段の電気掃除機用吸込具と、連通するように接続される電気掃除機とするものである。
【０００７】
【作用】
上記の課題解決手段においては、吸込具本体にて畳・木床上の掃除作業時、バンパ−を下方向に固定することにより、起毛布が前記吸込具本体底面より突出し掃除面と接触するため、掃除作業時のソフト感を得、さらに被掃除面の傷付きを防止でき、さらに、吸込具本体が家具等に衝突した場合にも、起毛布が家具に接触するため傷付かず、また、吸込具本体にてじゅうたん上の掃除作業時、バンパ−を上方向に固定することにより、起毛布をコンパクトに格納することができ、小型・軽量の吸込具が実現できるものである。また、上記吸込具と、連通するように接続される電気掃除機が実現できるものである。
【０００８】
【実施例】
以下、本発明の第１の実施例を添付図面とともに説明する。図１〜図３において、１０は吸込具本体で、バンバ−１１、後バンバ−Ａ１２、後バンパーＢ１３を介して上部吸込具１４、下部吸込具１５を結合して得たものであり、その前方内部には下方開口を吸込口１６とした吸込室１７が形成してある。この吸込室１７の中央は、吸込具本体１０の後方で上部吸込具１４、下部吸込具１５に俯仰自在に狭持された連通管１８、この連通管１８に回転自在に結合された接続管１９に連通し、かつ、この接続管１９には、電気掃除機の吸引側にホ−スを介して連通した延長管が着脱自在に接続される。連通管１８の左右には、アジテ−タ−駆動用のモ−タ−２０と、これを制御する制御部２１が内設してあり、電源コ−ド２２で給電される。
【０００９】
２３は吸込室１７内にこれと平行に設けられたアジテ−タ−で、吸込室１７の両側室壁に配設した軸受Ａ２４，軸受Ｂ２５で回転自在に保持されている。前記アジテ−タ−２３は、略円柱状回転子２６、この外周面長手螺施方向に連続して装着された可撓性材料でつくられた攪拌体２７より構成されている。
【００１０】
前記モ−タ−２０のモ−タ−軸２８にはモ−タ−プ−リ−２９が圧入固定されており、前記アジテ−タ−２３に接着固定されているアジテ−タ−プ−リ−３０に、ベルト３１を介して駆動力を伝達しアジテ−タ−２３を回転するよう構成している。
【００１１】
３２は表面にカットパイル状の紡績布からなる起毛布３３が接着固定されている回動板で、前記アジテ−タ−２３下部と前記吸込口１６内の間を自由に回動可能とし、前記アジテ−タ−２３下方向に回動したときには、回動板ア−ムＡ３４，回動板アームＢ３５上に形成された凸部Ａ３６，凸部Ｂ３７が、下部吸込具１５に形成された凹部Ａ３８，凹部Ｂ３９にそれぞれ係止固定され、前記アジテ−タ−２３真下で固定され、このとき前記回動板３２上の起毛布３３は掃除面と接触し、前記吸込口１６内に回動したときには、回動板ア−ムＡ３４，回動板アームＢ３５上に形成された凸部Ａ３６，凸部Ｂ３７が、下部吸込具１５形成された凹部Ｃ４０，同Ｄ４１にそれぞれ係止固定され、前記吸込口１６内で固定される。
【００１２】
４２は前記回動板ア−ムＡ３４に設けた操作部で、前記吸込具本体１０の外部から、前記回動板３２の回動動作を行なうべく、前記吸込具１０から突出して構成されている。
【００１３】
次に、この実施例の作用を説明する。吸込具本体１０にて木床・畳上の掃除をするとき、起毛布３３が吸込具本体１０下面より突出すべく、前記回動板３２をアジテ−タ−２３の下方向に固定し、掃除面と起毛布３３が接触することにより、掃除作業時のソフト感・さらに被掃除面の傷付防止が達成でき、前記吸込具本体１０にて、じゅうたん上の掃除をするとき、起毛布３３を吸込具本体１０内に格納すべく、前記回動板３２を吸込口１６内に回動・固定し、回転中のアジテ−タ−２３をじゅうたんと接触させることにより、パイル内の塵埃を叩き出し吸引し、このとき前記回動板３２は前記吸込口１６内を回動するべく構成されているため、前記吸込口１６以外に起毛布３３の上下機構を設ける必要がなく、小型・軽量のじゅうたん、木床・畳両用吸込具が実現できるものである。
【００１４】
次に、本発明の第２の実施例を、添付図面とともに説明する。図１において、回動板３２の回動中心が、アジテ−タ−２３の回転中心と同じとした構成となっており、前記回動板３２は前記アジテ−タ−２３回りを回動し、前記アジテ−タ−２３下方向から前方向の間を移動する。
【００１５】
次に、この実施例の作用を説明する。吸込具本体１０にてじゅうたん上の掃除をするとき、回動板３２をアジテ−タ−２３前方向に回動させるため、前記アジテ−タ−２３の後方向に、塵埃を吸引する際に障害となる部材・部品等を設ける必要がなく、十分な塵埃吸引通路が確保でき、大きな塵埃を吸引した場合に於いても、詰まる事なく掃除作業が行なえるものである。
【００１６】
次に、本発明の第３の実施例を、添付図面とともに説明する。図４〜図６において、吸込具本体１０前方部にカットパイル状の紡績布からなる起毛布３３を表面に接着固定している起毛布バンパ−４３が設けられている。前記起毛布バンパ−４３は、前記吸込具本体１０の前部及び左右部前方を覆い、前記吸込口１６の前方近傍まで覆うべく、前記吸込具本体１０下面まで湾曲した形状をしており、かつ上下移動するべく、内部に設けられたア−ムＡ４４，アームＢ４５が、下部吸込具１５を抱き抱える様に構成されている。前記起毛布バンパ−４３を上方向に移動させたとき、前記ア−ムＡ４４，アームＢ４５先端に設けられたノッチＡ４６，ノッチＢ４７が、前記下部吸込具１５に設けられた穴Ａ４８，穴Ｂ４９にそれぞれ係止固定され、前記起毛布バンパ−４３を上方向で固定し、前記起毛布バンパ−４３を下方向に移動させたとき、前記ノッチＡ４６，ノッチＢ４７が、前記下部吸込具１５に設けられた穴Ｃ５０，穴Ｄ５１にそれぞれ係止固定され、前記起毛布バンパ−４３を下方向で固定し、このとき前記起毛布バンパ−４３上の起毛布３３は、掃除面と接触する。
【００１７】
次に、この実施例の作用を説明する。吸込具本体１０にて木床・畳上の掃除をするとき、起毛布バンパ−４３を下方向に移動固定し、前記起毛布バンパ−４３上の起毛布３３を、掃除面と接触させることにより、掃除作業時のソフト感・さらに被掃除面の傷付防止が達成でき、前記吸込具本体１０にて、じゅうたん上の掃除をするとき、前記起毛布バンパ−４３を上方向に移動固定し、回転中のアジテ−タ−２３をじゅうたんと接触させることにより、パイル内の塵埃を叩き出し吸引し、このとき起毛布３３は吸込口１６下方向のアジテ−タ−２３前方部で上下移動するため、前記吸込口１６以外に起毛布３３の上下機構を設ける必要がなく、小型・軽量のじゅうたん、木床・畳両用吸込具が実現できるものであり、また前記起毛布バンパ−４３表面上に起毛布３３を設けたため、掃除作業中に吸込具本体１０が家具等に衝突した場合に於いても、家具に起毛布が接触するため傷付きを防止できるものである。
【００１８】
【発明の効果】
以上の実施例からも明らかなように、起毛布を表面に設けたバンパ−を上下移動させることにより、木床・畳上の掃除作業時に掃除面と接触させる起毛布を非常にコンパクトに格納することができ、操作性の良好な電気掃除機用吸込具を提供できる。さらに、バンパ−表面に起毛布を設けているので、掃除作業時に家具等に衝突した場合においても、家具等の傷付きを防止できる。
【図面の簡単な説明】
【図１】  本発明の第１、第２の実施例を示す電気掃除機用吸込具の断面図
【図２】  同電気掃除機用吸込具の上部吸込口を取り外した状態の平面図
【図３】  同電気掃除機用吸込具の回動板を示す斜視図
【図４】  本発明の第３の実施例を示す電気掃除機用吸込具の断面図
【図５】  同電気掃除機用吸込具の上部吸込口を取り外した状態の平面図
【図６】  同電気掃除機用吸込具のバンパ−を示す断面図
【図７】  従来の電気掃除機用吸込具の断面図
【図８】  同電気掃除機用吸込具の平面図
【符号の説明】
１０  吸込具本体
１６  吸込口
２０  モ−タ−
２３  アジテ−タ−
３２  回動板
３３  起毛布
４３  起毛布バンパ−
【図１】
0003656255.tif 000002
【図２】
0003656255.tif 000003
【図３】
0003656255.tif 000004
【図４】
0003656255.tif 000005
【図５】
0003656255.tif 000006
【図６】
0003656255.tif 000007
【図７】
0003656255.tif 000008
【図８】
0003656255.tif 000009